(57)【要約】【課題】  従来の茶樹内に収容できる防霜ファン装置は、茶園管理装置の採用には有益である。しかし、近時の茶園においては、整枝作業、中刈り作業等において、茶樹の略1／2をカットし、茶樹の管理と、茶の品質管理と、茶園機械の有効利用とを図ることが主流となった。このような状況では、当該防霜ファンでは、必ずしも十分とは云えない。【構成】  茶畝に設けた第1のレール付き第1の基台と、第1の基台にセットされたポールを備えた移動台車と、ポールに設けた防霜ファンと、少なくとも一方の隣接する茶畝に設けた第2のレール付き第2の基台と、第1・第2の基台の第1・第2のレールとを連結する第1のレールと第2のレールに着脱自在に設けられる連結レールと、第1のレール、第2のレール及び連結レールを挾持する移動台車に設けた対の車輪と、第1・第2の基台を支持する基礎ポールとでなる移動式の防霜ファン装置である。【選択図】      図1
2005110635.tif 000002
【特許請求の範囲】
【請求項１】
茶畝に設けた第1のレールを備えた第1の基台と、この第1の基台にセットされた移動台車と、この移動台車に設けたポールと、このポールに設けた防霜ファンと、少なくとも一方の隣接する茶畝に設けた第2のレールを備えた第2の基台と、前記第1・第2の基台の第1のレールと第2のレールとの間を連結する当該第1のレールと第2のレールに取付け、取外し自在に設けられる連結レールと、前記第1のレール、第2のレール及び連結レールを挾持する前記移動台車に設けた対の車輪と、前記第1・第2の基台を支持する茶畝地中に設けた基礎ポールとを組合せる構成とした移動式の防霜ファン装置。
【請求項２】
請求項1に記載の第1・第2のレールは、基礎ポールに設けた第1・第2の基台に間隔をおいて設置し、この間隔を利用して、前記第1・第2のレールの下側を転動移動する車輪をセットし、またこの下側の車輪と、前記第1・第2のレールの上側を転動移動する車輪を、それぞれ移動台車に設置し、この対の車輪で、前記第1・第2のレールを挾持して移動するとともに、この対の車輪は、当該第1・第2のレールに設けたストッパーにより停止し、茶畝の所定位置にセット可能な構成とした移動式の防霜ファン装置。
【請求項３】
請求項1に記載の移動台車を、フレームと、このフレームに設けた対の軸と、この軸に設けた前記フレームの組付け及び／又は緊締を司る連結体と、この連結体を緊締する緊締具とでなる所定位置にセット可能な構成とした移動式の防霜ファン装置。
【請求項４】
請求項1に記載の連結レールは、その両端に対峙方向に開口する切り溝を有しており、この切り溝の開口方向は、前記両端と平行する位置関係に構成し、この構成を利用して前記切り溝が係止される突起を、前記ポール及び第1・第2のレールに設ける構成とした移動式の防霜ファン装置。
【請求項５】
請求項1に記載の連結レールは、対峙方向に開口する切り溝を備えており、この切り溝を、第1及び／又は第2のレールに設けた係止突起に係止し、この連結レールと、前記レールとを連結する構成とした移動式の防霜ファン装置。
【発明の詳細な説明】
【技術分野】
【０００１】
本発明は、移動式の防霜ファン装置に関する。
【背景技術】
【０００２】
イ）  茶園の茶樹、果樹園の樹木の農作物、又はゴルフ場の芝等の作物（以下、茶樹を基に説明する）への凍霜害を有効、また低コスト、無公害で防止する方法として、防霜ファンが利用されている。しかし、従来の防霜ファンの有効利用と、茶園の機械化対応策として、新たな方式の防霜ファンが提案されており、本出願人も、茶樹内に収容できる防霜ファン装置を提案している。例えば、特開平10-42722号の「茶樹内収容式低所型の茶園用防霜ファン装置」、特開平10-136803号の「起伏式低所型の茶園用防霜ファン装置」、また特開2000-50749の「茶園用の昇降型低所防霜ファン装置」等（公開文献とする）が挙げられる。
【０００３】
しかしながら、近時の茶園においては、整枝作業、中刈り作業、その他の作業等において、茶樹の略1／2をカットする状況が最近の茶樹業界では、品質管理と、茶園機械の有効利用から主流となりつつある。しかし、このような状況では、前述の各公開文献では必ずしも十分とは云えない。
【０００４】
そこで、茶樹（茶畝）のさらに低い位置に、防霜ファン及び／又はその躯体等の装置（茶園用防霜ファン装置とする）を収容することが要求される状況となりつつある。
【０００５】
ロ）  また前記公開文献では、ポールの高さが十分でなく、所謂、空中の暖気層（逆転層）を有効利用できない問題も一部で指摘されている。この改良案も本出願人は、既に提案済みである。
【０００６】
ハ）  上記に鑑み、本発明は、この種の防霜ファンで、茶畝間を横移動する構成を提案して、前述の改良点をクリアし、茶園業者（農業業者、樹木管理者等）の市場の要望に応えつつ、品質のよい茶葉の生育が可能な防霜ファン装置を提案する。
【０００７】
ニ）  尚、防霜ファンの横移動を調査した結果では、茶園等の農業分野では、この種の文献はなかった。但し、茶園に立設した支柱と第1・第2の軌条を利用して、茶刈機等の茶園管理機械を縦横移動する構成が開示されている（特開平9-294448号の「軌道式の茶園管理方法および茶園管理装置」：文献（1））があるが、この発明は、軌条の利用による極めて大型の機構であり、設置場所が限定される。またこの発明は、機構上で大型であり、また構造上で複雑であること等を考慮した場合は、この種の防霜ファンへの採用は、あり得ない機構と考えられる。
【０００８】
【特許文献１】特開平9-294448号
【発明の開示】
【発明が解決しようとする課題】
【０００９】
前述の公開公報の一例である「茶樹内収容式低所型の茶園用防霜ファン装置」等では、整枝作業、中刈り作業等において、邪魔となり得ることから、その改良案が所望されている。そこで、本発明は、防霜ファン装置に、茶畝間を自由に横移動できる構造を組込むことで、この所望に対応する。
【００１０】
また公開公報では、その構造上で、暖気層を確実に茶樹に吹き降ろすために要するポールの高さが確保されない課題があった。そこで、本発明は、防霜ファンの横移動が図れ、しかも暖気を捉え得るポールの長さを確保し、この暖気の有効利用と、凍霜害防止を達成することを意図する。
【００１１】
さらに、文献1の発明では、到底望めない、簡易で、かつ確実に横移動ができる防霜ファンを提供する。
【課題を解決するための手段】
【００１２】
請求項1の発明は、防霜ファンの横移動が図れ、しかも暖気を捉え得るポールの長さを確保し、この暖気の有効利用と、凍霜害防止を達成する。また連結レールを、第1・第2のレールに、簡易かつ確実に連結できる構造を採用して、ポール及び防霜ファンを、自由に横移動可能にする。
【００１３】
請求項1は、茶畝に設けた第1のレールを備えた第1の基台と、この第1の基台にセットされた移動台車と、この移動台車に設けたポールと、このポールに設けた防霜ファンと、少なくとも一方の隣接する茶畝に設けた第2のレールを備えた第2の基台と、前記第1・第2の基台の第1のレールと第2のレールとの間を連結する当該第1のレールと第2のレールに取付け、取外し自在に設けられる連結レールと、前記第1のレール、第2のレール及び連結レールを挾持する前記移動台車に設けた対の車輪と、前記第1・第2の基台を支持する茶畝地中に設けた基礎ポールとを組合せる構成とした移動式の防霜ファン装置である。
【００１４】
請求項2の発明は、ポール及び防霜ファンの横移動を確実に行うこと、及び立設する状態を確保することで、暖気を確実にキャッチすること、又は転倒の被害を回避して、安全性を確保すること等を意図する。
【００１５】
請求項2は、請求項1に記載の第1・第2のレールは、基礎ポールに設けた第1・第2の基台に間隔をおいて設置し、この間隔を利用して、前記第1・第2のレールの下側を転動移動する車輪をセットし、またこの下側の車輪と、前記第1・第2のレールの上側を転動移動する車輪を、それぞれ移動台車に設置し、この対の車輪で、前記第1・第2のレールを挾持して移動するとともに、この対の車輪は、当該第1・第2のレールに設けたストッパーにより停止し、茶畝の所定位置にセット可能な構成とした移動式の防霜ファン装置である。
【００１６】
請求項3の発明は、請求項1の目的を達成し、その効果を確実に実行すること、また移動台車を最適な位置に固定すること等を意図する。
【００１７】
請求項3は、請求項1に記載の移動台車を、フレームと、このフレームに設けた対の軸と、この軸に設けた前記フレームの組付け及び／又は緊締を司る連結体と、この連結体を緊締する緊締具とでなる所定位置にセット可能な構成とした移動式の防霜ファン装置である。
【００１８】
請求項4の発明は、請求項1の目的を達成し、その効果を確実に実行すること、また請求項1の目的を達成するに最適な連結レールを提供すること等を意図する。
【００１９】
請求項4は、請求項1に記載の連結レールは、その両端に対峙方向に開口する切り溝を有しており、この切り溝の開口方向は、前記両端と平行する位置関係に構成し、この構成を利用して前記切り溝が係止される突起を、前記ポール及び第1・第2のレールに設ける構成とした移動式の防霜ファン装置である。
【００２０】
請求項5の発明は、請求項1の目的を達成し、その効果を確実に実行すること、また請求項1の目的を達成するに最適な連結レールを提供すること等を意図する。
【００２１】
請求項5は、請求項1に記載の連結レールは、対峙方向に開口する切り溝を備えており、この切り溝を、第1及び／又は第2のレールに設けた係止突起に係止し、この連結レールと、前記レールとを連結する構成とした移動式の防霜ファン装置である。
【発明の効果】
【００２２】
請求項1の発明は、茶畝に設けた第1のレールを備えた第1の基台と、第1の基台にセットされた移動台車と、移動台車に設けたポールと、ポールに設けた防霜ファンと、少なくとも一方の隣接する茶畝に設けた第2のレールを備えた第2の基台と、第1・第2の基台の第1のレールと第2のレールとの間を連結する第1のレールと第2のレールに取付け、取外し自在に設けられる連結レールと、第1のレール、第2のレール及び連結レールを挾持する移動台車に設けた対の車輪と、第1・第2の基台を支持する茶畝地中に設けた基礎ポールとを組合せる構成とした移動式の防霜ファン装置である。
【００２３】
従って、請求項1の発明は、防霜ファンの横移動が図れ、しかも暖気を捉え得るポールの長さを確保し、この暖気の有効利用と、凍霜害防止が図れる特徴がある。また連結レールを、第1・第2のレールに、簡易かつ確実に連結できる構造を採用して、ポール及び防霜ファンを、自由に横移動可能にした特徴がある。
【００２４】
請求項2の発明は、請求項1に記載の第1・第2のレールは、基礎ポールに設けた第1・第2の基台に間隔をおいて設置し、間隔を利用して、第1・第2のレールの下側を転動移動する車輪をセットし、また下側の車輪と、第1・第2のレールの上側を転動移動する車輪を、それぞれ移動台車に設置し、対の車輪で、第1・第2のレールを挾持して移動するとともに、対の車輪は、第1・第2のレールに設けたストッパーにより停止し、茶畝の所定位置にセット可能な構成とした移動式の防霜ファン装置である。
【００２５】
従って、請求項2の発明は、ポール及び防霜ファンの横移動が、確実に行えること、及び立設する状態を確保できることで、暖気を確実にキャッチできること、又は転倒の被害を回避して、安全性が確保できること等の特徴がある。
【００２６】
請求項3の発明は、請求項1に記載の移動台車を、フレームと、フレームに設けた対の軸と、軸に設けたフレームの組付け及び／又は緊締を司る連結体と、連結体を緊締する緊締具とでなる所定位置にセット可能な構成とした移動式の防霜ファン装置である。
【００２７】
従って、請求項3の発明は、請求項1の目的を達成し、その効果を確実に実行できること、また移動台車を、第1レール等のレールの最適な位置に、ワンタッチでかつ確実に固定できること等の特徴がある。
【００２８】
請求項4の発明は、請求項1に記載の連結レールは、その両端に対峙方向に開口する切り溝を有しており、切り溝の開口方向は、両端と平行する位置関係に構成し、構成を利用して切り溝が係止される突起を、ポール及び第1・第2のレールに設ける構成とした移動式の防霜ファン装置である。
【００２９】
従って、請求項4は、請求項1の目的を達成できること、その効果を確実に実行できること、また請求項1の目的を達成するに最適な連結レールを提供できること等の特徴がある。
【００３０】
請求項5の発明は、請求項1に記載の連結レールは、対峙方向に開口する切り溝を備えており、切り溝を、第1及び／又は第2のレールに設けた係止突起に係止し、連結レールと、レールとを連結する構成とした移動式の防霜ファン装置である。
【００３１】
従って、請求項5は、請求項1の目的を達成できること、その効果を確実に実行できること、また請求項1の目的を達成するに最適な連結レールを提供できること等の特徴がある。
【発明を実施するための最良の形態】
【００３２】
本発明の一例を説明するが、大別すると、図1〜図5に示した一例は、個別に設けた連結レールを、第1及び／又は第2・第3のレールに差渡し設ける構成を、また図6〜図11に示した一例は、ポールに係止した連結レールを、第1及び／又は第2・第3のレールに差渡し設ける構成をそれぞれ示すが一例である。以下、この一例の好ましい構成を説明する。尚、同じ構成は、同じ記号と名称を使用する。
【００３３】
図1〜図5に示した一例は、移動式の防霜ファン装置（防霜ファン装置とする）であり、その主構成は、茶畝地中A（茶園地中）に埋設した一本又は数本の基礎ポール1に設けた基台2と、この基台2に支持部材300を介して適宜隙間Hをおいて対で設けた第1のレール3〜第3のレール3-2と、移動台車4及びポール5と、防霜ファン6とでなる。
【００３４】
この移動台車4は、基台2と第1のレール3との間に形成された隙間Hに転動自在に設けられる下側車輪400と、この下側車輪400に対峙する上側車輪401と、この車輪400、401を支持するフレーム402と、この上下側車輪401、400の各軸401a、400aに貫通係止したこのフレーム402の組付け及び／又は緊締を司る連結体403等で構成されており、この上下側車輪401、400で第1のレール3を挾持する。この挾持は、前記ポール5と防霜ファン6の荷重を支持し、また横移動時の転倒防止等に有益な機構となっている。そして、この例では、各上下側車輪401、400（合計四個）には、環状面をそれぞれ設け、この各環状面（四箇所）で、第1のレール3を略完全に抱持する構造が望ましい（図2、図3参照）。また連結体403をハンドル403a（緊締具の一例）を利用して適宜方向に回転して、上下側車輪401、400の各軸401a、400aを緊締することで、この上下側車輪401、400を固定できる。これによって、当該上下側車輪401、400を固定するとともに、防霜ファン装置の固定及び／又は転倒防止等を図る。
【００３５】
そして、この対の第1のレール3の少なくとも一方側『本発明では、一方側は、図面に対峙して見た場合の右側を指す』に第1の係止突起301を設ける。この第1の係止突起301には、図4に示す枢着式の連結レール7の他方側に設けた第1の切り溝700が係止される。尚、この連結レール7の一方側に設けた第2の切り溝701は、前記茶畝地中Aの他の茶畝地中Bに設けた基礎ポール1、基台2に設けた第2のレール3-1の他方側『本発明では、他方側は、図面に対峙して見た場合の左側を指す』の第2の係止突起301-1に係止（この例では、枢支もある）される。このように連結レール7を、第1のレール3と第2のレール3-1に差渡した状態で（図1参照）、移動台車4、ポール5及び防霜ファン6が矢印（X）方向に横移動し、他の茶畝B-1に至ることができる。また同様に矢印（Y）方向に横移動し、基の茶畝A-1に至ることもできる。この横移動を利用して、茶畝A-1に添って走行等する茶園管理装置の走行には、全く障害とならない（他の場合も同じ）。尚、第1の切り溝700にロック部（図示せず）を形成し、このロック部に第1の係止突起301を枢支することが望ましい。
【００３６】
この連結レール7には、図4の如く、第1の切り溝700と第2の切り溝701に隣接して第3の切り溝702（必要により設ける）と第4の切り溝703（必要により設ける）が設けられている。この第1の切り溝700と第3の切り溝702とは対峙方向（例えば、板材の一方端側と、他方端側）に開設される。同様に第2の切り溝701と第4の切り溝703とは対峙方向（例えば、板材の一方端側と、他方端側）に開設される。そして、この第1の切り溝700と第4の切り溝703は、当該連結レール7を第1のレール3とポール5の間に差し掛ける際に使用する。即ち、第1の切り溝700を、第1のレール3に設けた第1の係止突起301に、第4の切り溝703をポール5にクロス状に延設した係止杆500にそれぞれ係止することで、前述の如く、差し掛け支持できる（図1に想像線で示す）。この連結レール7の差し掛けは、紛失、容易な保管、ポール5の補強等に役立つ利点がある。尚、第1の切り溝700に必要により設けるロック部（図示せず）を形成し、このロック部に第1の係止突起301を枢支することが望ましい。
【００３７】
尚、この連結レール7の構成では、枢支による支持を利用したワンタッチ方法での取扱い、又は着脱自在による支持を利用して、取付け及び／又は取外しによる取扱いとがあり、必要により、選択される。そして、ワンタッチ操作では、簡便性、ポール5等の補強等に役立つこと、また取付け等の操作では、保管、収容等の取扱いの容易化等に役立つことが考えられる（原則として、他の例も同じ）。
【００３８】
前記ポール5は伸縮式、継足し式、単一式等の各例がある。また防霜ファン6を、前述の公開公報の一例である「茶樹内収容式低所型の茶園用防霜ファン装置」等における従来の構造を採用できる。図中8はコード、9は電源を示す。
【００３９】
図5の例は、基台2に第3のレール3-2を設けた例であり、この例は、この第3のレール3-2の一方側に第3の係止突起301-2を、また第1のレール3の他方側に第4の係止突起301-3をそれぞれ設けた構成である。即ち、この例では、図示の如く、枢着式の連結レール7-1の第5の切り溝704に、第3の係止突起301-2を係止し、また連結レール7-1の第6の切り溝705を、基台2に設けた第1のレール3の第4の係止突起301-3に係止（この例では、枢支もある）する。この連結レール7-1を、第3のレール3-2と第1のレール3とにそれぞれ係止することで、移動台車4、ポール5及び防霜ファン6が矢印（Y-1）方向に横移動し、他の茶畝C-1に至ることができる。また同様に矢印（X-1）方向に横移動し、基の茶畝A-1に至ることもできる。そして、この第1のレール3に設けた第4の係止突起301-3と、ポール5の係止杆500とを利用して、この連結レール7-1を差し掛ける場合は、当該連結レール7-1の第6の切り溝705と、第8の切り溝707（必要により設ける）を利用する。即ち、第1のレール3に設けた第4の係止突起301-3に、第6の切り溝705を係止し、またポール5の係止杆500に第8の切り溝707を係止する。また第7の切り溝706（必要により設ける）は、その開口が第6の切り溝705の開口に対峙するように併設される。この第7の切り溝706は第1のレール3の第4の係止突起301-3に係止されることもある。尚、他の構成は、前述の図1〜図4の例に準ずる。
【００４０】
図6〜図11に示した一例は、防霜ファン装置であり、その主構成は、茶畝地中A（茶園地中）に埋設した一本又は数本の基礎ポール1に設けた基台2と、この基台2に支持部材300を介して適宜隙間Hをおいて対で設けた第1のレール3、又は第3のレール3-2と、移動台車4及びポール5と、防霜ファン6とでなる。
【００４１】
図6〜図8、図11の例は、基本的には、前述の図1〜図5の例に準ずる。その相違点は、原則として、取外し式の連結レール7-2の両端に第9、10の切り溝709、710を形成する。そして、この例は、連結レール7-2の第9の切り溝709を、第1のレール3の第4の係止突起301-3に係止し、またその第10の切り溝710を、第3のレール3-2に設けた第3の係止突起301-2に係止する。この連結レール7-2を第1のレール3と第3のレール3-2とにそれぞれ係止することで、前述の如く、移動台車4、ポール5及び防霜ファン6が矢印（Y-1）方向及び／又は矢印（X-1）方向に、それぞれ横移動し、さらに他の茶畝C-1か、又は基の茶畝A-1に至る。尚、第10の切り溝710は係止杆500に係止して収容する。
【００４２】
また図9〜図11の例は、基本的には、前述の図1〜図5の例に準ずる。その相違点は、原則として、取外し式の連結レール7-3に、第11、12の切り溝712、713を形成する。そして、この例は、連結レール7-3の第11の切り溝712を、第1のレール3の第1の係止突起301に係止し、またその第12の切り溝713を、第2のレール3-1に設けた第2の係止突起301-1に係止する。この連結レール7-3を第1のレール3と第2のレール3-1とにそれぞれ係止することで、前述の如く、移動台車4、ポール5及び防霜ファン6が矢印（X）方向及び／又は矢印（Y）方向に、それぞれ横移動し、他の茶畝B-1か、又は基の茶畝A-1に至る。
【００４３】
以上で説明した第1のレール3〜第3のレール3-2と、連結レール7〜連結レール7-3等は、それぞれ一例であり、要するに、移動台車4、ポール5及び防霜ファン6が横移動できる機構であれば、図示しない他のレール及び／又は他の連結レールであっても、本発明の範疇である。また本発明では、図4と図11に示した各態様の連結レール7〜7-3は、原則として、前述の何れの構成にも採用できる。
【００４４】
図中11は第1レール3〜第3のレール3-2等に設けた起伏式のストッパー、12はポール5の補強板を示す。
【図面の簡単な説明】
【００４５】
【図１】本発明の移動式の防霜ファン装置の一例を示した正面模式図
【図２】図1の基礎ポールと移動台車及びポールとの関係を説明する側面模式図
【図３】図1の例のレールと上下側車輪との関係を説明する側面模式図
【図４】第1のレール、連結レール及び第2のレールとの関係を説明する要部側面図
【図５】本発明の移動式の防霜ファン装置の他の一例を示した正面模式図
【図６】本発明の移動式の防霜ファン装置のさらに他の一例を示した正面模式図
【図７】図6の例の基礎ポールと移動台車及びポールとの関係を説明する側面模式図
【図８】図6の例のレールと上下側車輪との関係を説明する側面模式図
【図９】本発明の移動式の防霜ファン装置のさらにその他の一例を示した正面模式図
【図１０】図9の例の基礎ポールと移動台車及びポールとの関係を説明する側面模式図
【図１１】他の第1のレール、連結レール及び第2のレールとの関係を説明する要部側面図
【符号の説明】
【００４６】
1            基礎ポール
2            基台
3            第1のレール
3-1          第2のレール
3-2          第3のレール
300          支持部材
301          第1の係止突起
301-1        第2の係止突起
301-2        第3の係止突起
301-3        第4の係止突起
4            移動台車
400          下側車輪
400a         軸
401          上側車輪
401a         軸
402          フレーム
403          連結体
403a         ハンドル
5            ポール
500          係止杆
6            防霜ファン
7            連結レール
7-1          連結レール
7-2          連結レール
7-3          連結レール
700          第1の切り溝
701          第2の切り溝
702          第3の切り溝
703          第4の切り溝
704          第5の切り溝
705          第6の切り溝
706          第7の切り溝
707          第8の切り溝
709          第9の切り溝
710          第10の切り溝
712          第11の切り溝
713          第12の切り溝
8            コード
9            電源
11           ストッパー
12           補強板
A            茶畝地中
B            茶畝地中
A-1          茶畝
B-1          茶畝
C-1          茶畝
H            隙間
X            矢印
Y            矢印
X-1          矢印
Y-1          矢印
【図１】
2005110635.tif 000003
【図２】
2005110635.tif 000004
【図３】
2005110635.tif 000005
【図４】
2005110635.tif 000006
【図５】
2005110635.tif 000007
【図６】
2005110635.tif 000008
【図７】
2005110635.tif 000009
【図８】
2005110635.tif 000010
【図９】
2005110635.tif 000011
【図１０】
2005110635.tif 000012
【図１１】
2005110635.tif 000013